(57)【要約】【課題】端子ピンとの導通性が向上し、且つ製造および組み立てが簡単な、雌端子を提供すること。【解決手段】端子ピン４と電気的に導通接続するための雌端子１は、ベース部材２と、弾性部材３と、を備える。ベース部材２は端子ピン４のための接触部分１２を形成する。弾性部材３は、その第１の脚部分１８に対して曲げられて、挿入開口部１１から離れる方向に収容室６内へ突出する第２の脚部分１９を有している。第２の脚部分１９は、接触部分１２へ向かって延びている。【選択図】図１
2005302730.tif 000002
【特許請求の範囲】
【請求項１】
端子ピン（４）、特に、扁平ピン端子、と電気的に導通接続するための雌端子（１、１０１、３０１、４０１）であって、
ベース部材（２、１０２、３０２、４０２）と、
別体の弾性部材（３、１０３、３０３、４０３）と、
を備え、
前記ベース部材（２、１０２、３０２、４０２）は、中空筒状の収容部分（５、１０５、３０５、４０５）を有し、
前記収容部分（５、１０５、３０５、４０５）は、前記端子ピン（４）のための挿入開口部（１１）を備える包囲された収容室（６、１０６、３０６、４０６）を形成し、
前記ベース部材（２、１０２、３０２、４０２）は、前記端子ピン（４）のための接触部分（１２、１１２）を形成し、
前記ベース部材（２、１０２、３０２、４０２）は、ケーブルの導体と電気的に導通接続するための接続部分（１６）を有し、そして
前記ベース部材（２、１０２、３０２、４０２）は、高い導電性を有する材料からなり、
前記弾性部材（３、１０３、３０３、４０３）は、腐食しないバネ鋼からなり、
前記弾性部材（３、１０３、３０３、４０３）は、その全体が前記収容室（６、１０６、３０６、４０６）内に収容され、
前記弾性部材（３、１０３、３０３、４０３）は、２つの第１の脚部分（１８、３１８）を有し、
前記第１の脚部分（１８、３１８）は互いに離れる方向に延長する係合部分（２２、３２２）を有しており、それら係合部分（２２、３２２）がベース部材（２、１０２、３０２、４０２）の固定切欠き（１３、３１３）に係入し、
前記弾性部材（３、１０３、３０３、４０３）は、それぞれの前記第１の脚部分（１８、３１８）に対して曲げられて、前記挿入開口部（１１）から離れる方向に前記収容室（６、１０６、３０６、４０６）内へ更に突出する第２の脚部分（１９、３１９）を有し、そして
前記第２の脚部分（１９、３１９）が接触部分（１２、１１２）へ向かって延びている、
ことを特徴とする雌端子（１、１０１、３０１、４０１）。
【発明の詳細な説明】
【技術分野】
【０００１】
本発明は、端子ピン、特に扁平ピン端子、と電気的に導通接続するための雌端子に関する。この種の雌端子は、例えば数個ずつコネクタのハウジング本体内に収容されて、例えば、自動車のためのワイヤハーネスの接続に使用される。
【背景技術】
【０００２】
特許文献１は、端子ピンと電気的に導通接続するための雌端子に関する。雌端子は、ベース部材を有しており、そのベース部材が中空筒状の収容部分を有しており、その収容部分が端子ピンのための挿入開口部を備えた、包囲された収容室を形成する。ベース部材は、更に、収容室内で端子ピンのための接触部分を形成する。ベース部材は、更に、接続部分を有しており、その接続部分はケーブルの導体と電気的に導通接続するために用いられる。ベース部材は、その機能に適合された第１の材料から形成することができる。
【０００３】
雌端子は、更に、別体の弾性部材を有しており、その弾性部材は板バネ状に形成されて、２つの部分を有しており、そのうちの第１の部分が保持舌片を形成し、その保持舌片はベース部材の外部に配置され、例えば差込みコネクタハウジング内に雌端子を固定するために用いられる。
【０００４】
弾性部材は、第１の部分に略１８０°曲がって接続されている第２の部分を有している。この第２の部分は、ベース部材の内部に、即ち略ベース部材の収容室内に、位置している。ベース部材は、挿入開口部から始まって更に収容室内へ突出して、ベース部材の接触部分へ延びる部分を有している。それに連続して、再び中空筒状の収容部分の壁へ延びる部分が設けられている。この別体の弾性部材の形状は、確実な保持を達成するために、中空筒状の収容部分への結合が溶接によって形成されることを必要とする。
【０００５】
特許文献２は、端子ピンと電気的に導通接続するための雌端子に関するものである。これは、ベース部材を有しており、そのベース部材は中空筒状の収容部分を有し、その収容部分が端子ピンのための挿入開口部を備えた、包囲された収容室を形成する。ベース部分は、更に、接続部分を有しており、その接続部分がケーブルの導体と電気的に導通接続するために用いられる。更に、別体の弾性部材が設けられており、その弾性部材は一方の端部に突出部を有しており、その突出部が側壁の収容穴内へ嵌入する。弾性部材は、板バネ状に形成されて、他方の端部へ向かってアーチ形状に立ち上がり、その後再び下降して、その他方の端部によって収容部分の穴壁の内壁に支持されている。その推移は、上面において舌片形状であるので、中央の膨出した部分が生じ、その部分が、収容部分の側壁に配置されている凹部内へ突出する。
【０００６】
特許文献３は、雌端子を記述しており、その雌端子は、板バネ状の弾性部材がその両方の端部の間の中間部分において更に側方の突出部を有しており、その突出部がベース部材の収容部分の側壁に形成された長手スリット内へ嵌入することが、上述した雌端子と異なる。
【０００７】
特許文献４は、扁平ピン端子と電気的に導通接続するための雌端子を記述している。これは、ベース部材を有しており、そのベース部材が中空筒状の収容部分を有しており、その収容部分が端子ピンのための挿入開口部を備えた、包囲された収容室を形成する。中空筒状の部分の壁が、更に、端子ピンのための接触部分を形成している。更に、中空筒状の部分に接続部分が連続しており、その接続部分がケーブルの導体と電気的に導通接続するために用いられる。
【０００８】
その雌端子は、更に、バネ材料から形成された別体の弾性部材を有しており、その弾性部材が全体的に収容室内に収容されている。この弾性部材は、全部で４つの部分を有しており、それらの部分は互いに対して曲げられている。第１の部分に属する第１の端部は、挿入端部の近傍において中空筒状の収容部分に固定されている。自由端部を有する第４の部分は、同様に中空筒状の収容部分の挿入開口部へ向かう領域内にあって、挿入の際に端子ピンが当接する部分を形成する。更に、ストッパが設けられており、そのストッパは、挿入開口部の方向において第４の部分の前に接続されている、第３の部分の曲がりを制限して、それによって弾性部材の過負荷を防止する。
【０００９】
特許文献５には、端子ピン、特に扁平ピン端子と電気的に導通接続するための雌端子が記載されており、その雌端子はベース部材と弾性部材とを有している。ベース部材は、中空筒状の収容部分を有しており、その収容部分が、端子ピンのための挿入開口部を備えた、包囲された収容室を形成している。ベース部材は、更に、接続部分を有しており、その接続部分は、例えば加締めによって、ケーブルの導体と電気的に導通接続するために用いられる。ベース部材は、腐食に対して極めて良好な耐性を有する材料から形成されている。弾性部材は、極めて良好なバネ特性を有する材料から形成されている。弾性部材は、雌端子体を形成するベース部材と、係合部分によって、結合されている。
【００１０】
その場合に弾性部材は、鉄金属材料、例えばステンレス鋼またはバネ鋼から形成される。ベース部材は、アルミニウムまたはアルミニウム合金から形成されている。弾性部材は、平板状材料をＵ字状に曲げ、そして２つの対向する接触箇所を形成することにより形成され、それら２つの接触箇所の間に端子ピンが進入して、電気的な接触が成し遂げられる。弾性部材は、ベース部材の収容部分の収容室内に収容されて、このベース部材に電気的に導通するように接触する。この実施形態において、端子ピンと雌端子との間の電気的な導通接触は、比較的不都合な電気的導通特性を有する領域内で生じる。その端子ピンは、その弾性部材に接触するだけである。
【００１１】
【特許文献１】欧州特許出願公開第ＥＰ１１２２８３２Ａ２号明細書
【特許文献２】独国特許出願公開第ＤＥ４１０５２９３Ａ１号明細書
【特許文献３】独国特許発明第ＤＥ４２００３６８Ｃ２号明細書
【特許文献４】ＰＣＴ出願公開第ＷＯ９６／４２１２１Ａ１号明細書
【特許文献５】独国特許出願公開第ＤＥ１０３２３１０６Ａ１号明細書
【発明の開示】
【発明が解決しようとする課題】
【００１２】
本発明は、端子ピンとの導通性が向上し、且つ製造および組み立てが簡単な、雌端子を提案する目的に基づいている。
【課題を解決するための手段】
【００１３】
上記目的を達成するため、本発明の雌端子は、
端子ピン、特に、扁平ピン端子、と電気的に導通接続するための雌端子であって、
ベース部材と、
別体の弾性部材と、
を備え、
前記ベース部材は、中空筒状の収容部分を有し、
前記収容部分は、前記端子ピンのための挿入開口部を備える包囲された収容室を形成し、
前記ベース部材は、前記端子ピンのための接触部分を形成し、
前記ベース部材は、ケーブルの導体と電気的に導通接続するための接続部分を有し、そして
前記ベース部材は、高い導電性を有する材料からなり、
前記弾性部材は、腐食しないバネ鋼からなり、
前記弾性部材は、その全体が前記収容室内に収容され、
前記弾性部材は、２つの第１の脚部分を有し、
前記第１の脚部分は互いに離れる方向に延長する係合部分を有しており、それら係合部分がベース部材の固定切欠きに係入し、
前記弾性部材は、それぞれの前記第１の脚部分に対して曲げられて、前記挿入開口部から離れる方向に前記収容室内へ更に突出する第２の脚部分を有し、そして
前記第２の脚部分が接触部分へ向かって延びている。
【００１４】
この配置の利点は、弾性部材が、ケーブルと接続されているベース部材と、同様にケーブルまたは機器と接続されている端子ピンとの間に直接強力な接触を得るためだけに、利用されることである。従って、接続すべき部品、例えばケーブルあるいは機器の端子と電気的に導通接続するように接続されている、部品間に直接電気的な導通接触が得られる。
【００１５】
弾性部材は、圧接機能に永続的に適しているように、設計することができる。弾性部材の材料は、端子ピンとの接続における雌端子の導通性にとって重要ではない。端子ピンは、ベース部材の収容部分と直接電気的に導通接触する。このことは、高い導電性材料から形成されたそれら構成部品が直接互いに接触していることを意味している。そのような機能を減少させる中間部材を介しての電送が省かれる。
【００１６】
本発明の形態例においては、前記弾性部材が、前記第２の脚部分に続く第３の脚部分を有し、前記第３の脚部分は、前記第２の脚部分に対して、前記接触部分から離れる方向へ延びるように、曲げられており、そして前記第２の脚部分と前記第３の脚部分の間の、弾性部材の移行部が、前記端子ピンのための支持ベースを形成する。この解決によって、弾性部材が過負荷に対して保護されている限りにおいて、本質的な改良が成し遂げられる。予め定められたバネ変位距離に達した場合に、弾性部材の第３の脚部分の自由端部が、収容室を包囲する壁に当接する。
【００１７】
好ましくは、前記ベース部材は、断面が中空筒状の収容部分を有している。その収容室は、互いに対して直角に配置されている壁によって包囲されている。
【００１８】
本発明においては、接触部分を形成するための２つの可能性が設定される。第１の可能性は、壁に、収容室内へ突出する部分が設けられており、その部分が接触部分を形成することである。従って、エンボス加工（即ち、プレス成形）を行なうことができるので、定められた接触部分が形成される。
【００１９】
本発明においては、更に、壁から切り起こされて、収容室内へ突出するように曲げられた少なくとも１つの接触片が、接触部分を形成する可能性がある。
【００２０】
弾性部材について、本発明は同様に２つの実施可能性を有している。第１の実施可能性によれば、弾性部材は、丸ワイヤを曲げることにより形成され且つ、２つの第１の脚部分、２つの第２の脚部分、および２つの第３の脚部分を有しており、その場合に、第３の脚部分は互いに結合されており、係合部分が第１の脚部分から互いに離れる方向へ延長するように曲げられている。しかし、また、本発明では、弾性部材を、平板状材料を曲げることにより形成することもできる。
【００２１】
更に、本発明においては、基本的に、雌端子の収容部分の収容室内に弾性部材を固定する２つの固定可能性が設けられている。その第１の実施可能性においては、２つの第１の脚部分に互いに離れる方向に延長するように曲げられた係合部分が設けられており、それらの係合部分がベース部材の固定切欠きに係入する。従って、相補的な嵌合が成し遂げられる。この実施形態は、弾性部材を丸ワイヤから製造するのに有効である。しかし、また、本発明では、弾性部材が平板状材料を曲げることにより形成されている場合、弾性部材は２つの第１の脚部分を有しており、それら第１の脚部分が、互いに離れる方向に延長する係合部分を有しており、それら係合部分がベース部材の固定切欠きに係入する。
【００２２】
両方の場合において、付加的な固定として、ベース部材が固定片を有しており、その固定片が２つの第１の脚部分の間に嵌入して、それによって係合部分が固定切欠きから抜け出すことが阻止されるようにすることもできる。
【００２３】
好ましくは、ベース部材は高い導電性材料からなる。ベース部材は、好ましくは薄板材料を打ち抜いて曲げることによって形成される。
【発明の効果】
【００２４】
本発明によれば、端子ピンとの導通性が向上し、且つ製造および組み立てが簡単な、雌端子を提供することができる。
【発明を実施するための最良の形態】
【００２５】
添付の図面には、本発明の種々の実施形態例が概略的に示されている。
【００２６】
まず、第１の実施形態を、図１〜図３を参照して説明する。図１からは、互いに結合される前のベース部材２と弾性部材３が明らかにされる。両者は、一緒になって雌端子１を形成する。更に、平板形を有する端子ピン４が示されており、その端子ピン４は電気的に導通接続するために雌端子１内へ挿入可能である。この端子ピン４は扁平ピン端子（即ち、雄端子）を部分的に形成する。
【００２７】
雌端子１は、中空筒状の収容部分５を有しており、その収容部分５が収容室６を包囲している。収容部分５は、一枚の薄板状の高導電性材料を折り曲げることによって成形されており、第１の壁７、第１の壁７に対して直角に配置された第２の壁８、更に第２の壁８に対して直角に配置され、第１の壁７に対して略平行に延長する第３の壁９、および第４の壁１０を有しており、第４の壁は第２の壁８に対して略平行に延長しており、且つ第１の壁７に対して直角に配置されている。従って、これらの壁が、断面が矩形の収容室６を包囲しており、その収容室が端子ピン４のための挿入開口部１１を形成する。互いに対して平行に延びる２つの壁８、１０、即ち第２の壁８とそれに対して平行な第４の壁１０から、それぞれ接触フラップが切り起こされて、内側へ向かって収容室内へ突出するように曲げられているので、それらが一緒になって接触部分１２を形成し、その接触部分１２は特に第２の壁８から突出する接触フラップに関して明らかにされている。端子ピン４は、挿入開口部１１を通して収容室６内へ挿入された場合に接触部分１２と接触する。第２の壁８と第４の壁１０には、挿入開口部１１に対して距離をもってそれぞれ固定切欠き１３が設けられている。更に、２つの固定切欠き１３の間の領域内において、第１の壁７から固定片１５が切り起こされて、２つの固定切欠き１３の間の領域内へ曲げられており、その場合にこれらの固定切欠きに対してそれぞれ間隔が残っている。接触部分１２の方向へ端子ピン４を挿入することを容易にするために、第３の壁９から一部が挿入開口部１１を通して収容室６内へ曲げられて、案内部材１４を形成している。
【００２８】
挿入開口部１１から離れる方向において、収容部分５に移行部分１７が連続しており、その移行部分１７にもまた接続部分１６が接続されている。接続部分１６は、複数の加締片を有しており、それら加締片のうちの一対がケーブルの導体と電気接触するように該導体に対して加締められ、そして他の一対はケーブルの絶縁被覆を保持するように該絶縁被覆に対して加締められ、このように用いられる。収容部分５、移行部分１７、および接続部分１６は、一体的に形成されており、且つ屈曲前に打抜き部品として形成されている。
【００２９】
図１においては、まだベース部材２と結合されずに示されている弾性部材３が、図２に個別部品として示されており、且つそれを用いて以下で詳しく説明する。弾性部材３は、腐食しないバネ鋼、例えばステンレス鋼等の特殊鋼からなる丸ワイヤを曲げることによって成形されている。弾性部材３は、略１つの平面内にある２つの第１の脚部分１８を有しており、それら脚部分１８に連続する２つの第２の脚部分１９が第１の脚部分１８に対して、第１の脚部分１８と略Ｖ字を形成するように、曲げられている。これら第２の脚部分１９に、好ましくはそれぞれ移行部２１をもって第３の脚部分２０が連続している。２つの第３の脚部分２０は、円弧部によって互いに結合されている。２つの第１の脚部分１８、２つの第２の脚部分１９、および２つの第３の脚部分２０は、それぞれ対をなして別々の平面内に位置している。２つの第３の脚部分２０は、再び第１の脚部分１８へ向かって延びるように曲げられている。２つの第１の脚部分１８の自由端部は、直角に曲げられて、逆方向に延びる係合部分２２を形成している。
【００３０】
２つの第３の脚部分２０を省いて、２つの第２の脚部分１９をその自由端部において結合することも、可能である。
【００３１】
図３は、弾性部材３をベース部分２の収容部分５の収容室６内に取り付けた状態を示している。その場合に２つの係合部分２２が、それぞれ収容部分５の固定切欠き１３へ、即ち両方の壁８、１０内へ嵌入し、その場合に固定片１５が２つの第１の脚部分１８の間へ嵌入する。それによって２つの係合部分２２が固定切欠き１３内に固定される。２つの第１の脚部分１８は、収容室６内で第１の壁７に支持される。これら第１の脚部分１８は、係合部分２２から始まってまず挿入開口部１１へ向かう方向へ延びて、その後この挿入開口部１１から離れて収容室内へ更に深く延長する。その場合に移行部２１は、接触部分１２と対向するように配置されている。
【００３２】
端子ピン４は、接触部分１２と弾性部材３の２つの移行部２１との間の間隙へ進入する。弾性部材３の過負荷が生じる可能性を阻止するために、２つの第３の脚部分２０は、再び接触部分１２から離れて、それによって第１の壁７に接近するように、曲げられている。負荷がかかって弾性変位が生じた場合に、弾性部材３の、２つの第３の脚部分２０を結合する部分が第１の壁７と接触する。それによって弾性部材３に過負荷をかける応力が防止される。
【００３３】
図４は、雌端子１０１の実施形態を示しており、この実施形態においては、図１〜図３に示す実施形態に関する可能性よりも、収容部分１０５の領域内のベース部材１０２の更にコンパクトな形態を得ることができる。雌端子１０１において、接触部分１１２は、ベース部材１０２の収容部分１０５の領域内で、第３の壁１０９に収容室１０６内へ突出するエンボス加工部が設けられていることによって形成される。このエンボス加工部が、収容室１０６内へ突出する接触部分１１２を形成し、その接触部分１１２は弾性部材１０３の移行部と対向している。
【００３４】
その場合に弾性部材１０３は、その形成において第１の実施形態のそれ、特に図２に個別部品として示されている弾性部材３に、完全に相当する。同様に、弾性部材１０３は、図１〜図３に示す実施形態の場合と全く同様に、係合部分を介して対応する固定切欠き内へ係合することによって、ベース部材１０２内に固定される。ただ、収容部分１０５の挿入部分は、弾性部材１０３が挿入開口部から、図１〜図３に示す形態におけるものよりも更に後方へ位置する点で、わずかに異なるように形成されている。
【００３５】
上記第１と第２の実施形態の構成部品の配置に関して、導体と接続されているベース部材２、１０２と端子ピン４との直接的な電気的導通接続のために、弾性部材３、１０３がそれぞれ端子ピン４を直接接触部分１２、１１２へ押圧するようになっている。
【００３６】
図５〜図７は、第３の実施形態である、ベース部材３０２を有する雌端子３０１を示しており、ベース部材３０２は収容部分３０５を有しており、且つそのベース部材３０２は図１〜図３のベース部材２の第１の実施形態に相当する。この場合においても、図１〜図３に示す実施形態におけるように、固定切欠き３１３が設けられている。更に、固定片３１５が設けられている。しかし、ベース部材３０２に関連して、雌端子３０１を形成するために、図６に個別部品として、そして図７において収容室３０６内に組み込まれた状態で示されるように、変更された弾性部材３０３が利用される。
【００３７】
図６に示す弾性部材３０３は、腐食しないバネ鋼、特にステンレス鋼等の特殊鋼からなる平板状材料から、例えば打抜きによって形成され、２つの第１の脚部分３１８を有しており、それら第１の脚部分３１８からそれぞれ直角に曲げられて、固定切欠き３１３内へ係合するための係合部分３２２が突出している。係合部分３２２両者の間に自由空間が形成されて、組み立てられた状態においてその自由空間内へ固定片３１５が嵌入する。１つの平面内に位置している、２つの第１の脚部分３１８に、Ｖ字状に曲がって単一の第２の平板状の脚部分３１９が連続し、その第２の脚部分３１９に対して曲がって更に第３の脚部分３２０が接続されており、その場合に第２の脚部分３１９と第３の脚部分３２０との間に移行部３２１が形成されている。
【００３８】
図７に示す、収容部分３０２内に弾性部材３０３が取り付けられた状態において、図１〜図３に示す実施形態と同様の組立てが為されていること、即ち第２の脚部分３１９が接触部分へ向かっていることが理解される。第３の脚部分３２０は、この接触部分から再び離れるように延びている。図１〜図３との関連において説明したことが、ここでも同様に当てはまる。
【００３９】
そして、図８には、第４の実施形態である雌端子４０１が示されており、この雌端子４０１は、図４に示すベース部材１０２に相当するベース部材４０２を有している。雌端子４０１は、更に、弾性部材４０３を有しており、その弾性部材４０３は図５〜図７に示す弾性部材３０３に相当し、且つ収容室４０６内に取り付けられる。
【００４０】
ここで、上述した本発明の特徴それぞれを以下ｉ項〜ｉｘ項に簡潔に纏めて列記する。
【００４１】
ｉ．  端子ピン（４）、特に、扁平ピン端子、と電気的に導通接続するための雌端子（１、１０１、３０１、４０１）であって、
ベース部材（２、１０２、３０２、４０２）と、
別体の弾性部材（３、１０３、３０３、４０３）と、
を備え、
前記ベース部材（２、１０２、３０２、４０２）は、中空筒状の収容部分（５、１０５、３０５、４０５）を有し、
前記収容部分（５、１０５、３０５、４０５）は、前記端子ピン（４）のための挿入開口部（１１）を備える包囲された収容室（６、１０６、３０６、４０６）を形成し、
前記ベース部材（２、１０２、３０２、４０２）は、前記端子ピン（４）のための接触部分（１２、１１２）を形成し、
前記ベース部材（２、１０２、３０２、４０２）は、ケーブルの導体と電気的に導通接続するための接続部分（１６）を有し、そして
前記ベース部材（２、１０２、３０２、４０２）は、高い導電性を有する材料からなり、
前記弾性部材（３、１０３、３０３、４０３）は、腐食しないバネ鋼からなり、
前記弾性部材（３、１０３、３０３、４０３）は、その全体が前記収容室（６、１０６、３０６、４０６）内に収容され、
前記弾性部材（３、１０３、３０３、４０３）は、２つの第１の脚部分（１８、３１８）を有し、
前記第１の脚部分（１８、３１８）は互いに離れる方向に延長する係合部分（２２、３２２）を有しており、それら係合部分（２２、３２２）がベース部材（２、１０２、３０２、４０２）の固定切欠き（１３、３１３）に係入し、
前記弾性部材（３、１０３、３０３、４０３）は、それぞれの前記第１の脚部分（１８、３１８）に対して曲げられて、前記挿入開口部（１１）から離れる方向に前記収容室（６、１０６、３０６、４０６）内へ更に突出する第２の脚部分（１９、３１９）を有し、そして
前記第２の脚部分（１９、３１９）が接触部分（１２、１１２）へ向かって延びている、
ことを特徴とする雌端子（１、１０１、３０１、４０１）。
【００４２】
ｉｉ．  前記弾性部材（３、１０３、３０３、４０３）は、前記第２の脚部分（１９、３１９）に続く第３の脚部分（２０、３２０）を有し、
前記第３の脚部分（２０、３２０）は、前記第２の脚部分（１９、３１９）に対して、前記接触部分（１２、１１２）から離れる方向へ延びるように、曲げられており、そして
前記第２の脚部分（１９、３１９）と前記第３の脚部分（２０、３２０）の間の、弾性部材（３、１０３、３０３、４０３）の移行部（２１、３２１）が、前記端子ピン（４）のための支持ベースを形成すること、
を特徴とする上記ｉの雌端子（１、１０１、３０１、４０１）。
【００４３】
ｉｉｉ．  前記ベース部材（２、１０２、３０２、４０２）は、断面が中空筒状の前記収容部分（５、１０５、３０５、４０５）を有し、そして
前記収容室（６、１０６、３０６、４０６）が、互いに対して直角に配置された壁（７、８、９、１０；  １０９）によって包囲されていること、
を特徴とする上記ｉの雌端子（１、１０１、３０１、４０１）。
【００４４】
ｉｖ．  前記壁（１０９）に、前記収容室（１０６）内へ突出する部分が設けられ、当該部分が前記接触部分（１１２）を形成すること、
を特徴とする上記ｉｉｉの雌端子（１０１）。
【００４５】
ｖ．  前記壁（８、１０）から切り起こされて、前記収容室（６）内へ曲げられた少なくとも１つの接触片が、前記接触部分（１２）を形成すること、
を特徴とする上記ｉｉｉの雌端子（１）。
【００４６】
ｖｉ．  前記弾性部材（３、１０３）が、丸ワイヤを曲げることにより形成され且つ、前記２つの第１の脚部分（１８）、前記２つの第２の脚部分（１９）、および２つの第３の脚部分（２０）を有し、
前記第３の脚部分（２０）が互いに結合されており、そして
前記係合部分（２２）が、前記第１の脚部分（１８）から互いに離れる方向へ延びるように曲げられていること、
を特徴とする上記ｉの雌端子（１、１０１）。
【００４７】
ｖｉｉ．  前記弾性部材（３０３、４０３）が、平板状材料を曲げることにより形成されていること、
を特徴とする上記ｉの雌端子（３０１、４０１）。
【００４８】
ｖｉｉｉ．  前記ベース部材（２、３０２）が、固定片（１５、３１５）を有しており、そして
前記固定片（１５、３１５）が前記２つの第１の脚部分（１８、３１８）の間へ嵌入すること、
を特徴とする上記ｉの雌端子（１、３０１）。
【００４９】
ｉｘ．  前記ベース部材（２、１０２、３０２、４０２）が、薄板材料を打ち抜いて曲げることによって形成されていること、
を特徴とする上記ｉの雌端子（１、１０１、３０１、４０１）。
【図面の簡単な説明】
【００５０】
【図１】本発明に係る雌端子の第１の実施形態の構成部品を、相手方の雄端子である端子ピンと対応づけて示す第１の実施形態の分解斜視図である。
【図２】本発明に係る雌端子の第１の実施形態の一構成部品としての図１の弾性部材を拡大して示す斜視図である。
【図３】図１のベース部材の収容部分の一部を該ベース部材に取り付けられ且つ固定された弾性部材と共に示し、特に第１の実施形態をベース部材の縦断面が見られるように示した斜視図である。
【図４】図１〜図３に示す第１の実施形態を変形した、第１の実施形態のものとは異なる接触部分を収容部分の収容室内に有する雌端子を本発明に係る雌端子の第２の実施形態として、図３と同様に、示す斜視図である。
【図５】図１〜図３に示す第１の実施形態のものと略同様なベース部材を備え、更に平板状材料から形成された弾性部材を備える本発明に係る雌端子の第３の実施形態の組み立て前の分解斜視図である。
【図６】本発明に係る雌端子の第３の実施形態の一構成部品としての図５の弾性部材を拡大して示す斜視図である。
【図７】図３と同様に、第３の実施形態を、そのベース部材の縦断面が見られるように示す斜視図である。
【図８】ベース部材が図４のベース部材に相当し、そして弾性部材が図５〜図７の弾性部材に相当する本発明に係る雌端子の第４の実施形態を、そのベース部材の縦断面が見られるように示す斜視図である。
【符号の説明】
【００５１】
１、１０１、３０１、４０１  雌端子
２、１０２、３０２、４０２  ベース部材
３、１０３、３０３、４０３  弾性部材
４  端子ピン
５、１０５、３０５、４０５  収容部分
６、１０６、３０６、４０６  収容室
７  第１の壁
８  第２の壁
９、１０９  第３の壁
１０  第４の壁
１１  挿入開口部
１２、１１２  接触部分
１３、３１３  固定切欠き
１４  案内部材
１５、３１５  固定片
１６  接続部分
１７  移行部分
１８、３１８  第１の脚部分
１９、３１９  第２の脚部分
２０、３２０  第３の脚部分
２１、３２１  移行部
２２、３２２  係合部分
【図１】
2005302730.tif 000003
【図２】
2005302730.tif 000004
【図３】
2005302730.tif 000005
【図４】
2005302730.tif 000006
【図５】
2005302730.tif 000007
【図６】
2005302730.tif 000008
【図７】
2005302730.tif 000009
【図８】
2005302730.tif 000010